(57)【要約】  【課題】本発明は、隣接チャンネル妨害除去性能とスプリアス妨害除去性能の双方を向上することが可能な放送受信装置を提供することを目的とする。  【解決手段】本発明に係る放送受信装置Ａ−１は、入力ＲＦ信号レベルを可変制御するＲＦＡＧＣ回路Ａ２と、調整ＲＦ信号をＩＦ信号に変換する周波数変換部（Ａ４ａ、Ａ４ｂ）と、ＩＦ信号レベルを検波して第１制御信号を生成する検波部Ａ４ｅと、ＩＦ信号レベルを可変制御するＩＦＡＧＣ回路Ａ６と、調整ＩＦ信号の受信状態を検出して第２制御信号を生成する復調器Ａ８と、第１、第２制御信号の一方をＲＦＡＧＣ回路Ａ２に送出するスイッチ手段（Ａ４ｆ、Ａ９）を有して成り、ＲＦＡＧＣ回路Ａ２では、第１、第２制御信号のいずれか一方に基づいてＲＦ信号レベルを調整する構成としている。【選択図】      図１
2005159591.tif 000002
【特許請求の範囲】
【請求項１】
入力された高周波信号の信号レベルを可変制御する第１自動利得制御手段と、信号レベル調整後の高周波信号を中間周波数信号に変換する周波数変換手段と、前記中間周波数信号の信号レベルを検波して第１自動利得制御手段に対する第１制御信号を生成する検波手段と、前記中間周波数信号の信号レベルを可変制御する第２自動利得制御手段と、信号レベル調整後の中間周波数信号に復調処理を施して所望の受信信号を取得するとともにその受信状態を検出して第１、第２自動利得制御手段に対する第２制御信号を生成する復調手段と、第１、第２制御信号のいずれか一方を選択して第１自動利得制御手段に送出するスイッチ手段と、を有して成り、前記スイッチ手段を制御することで、第１自動利得制御手段では、第１、第２制御信号のいずれか一方に基づいて前記高周波信号の信号レベルを調整し、第２自動利得制御手段では、第２制御信号のみに基づいて前記中間周波数信号の信号レベルを調整することを特徴とする放送受信装置。
【請求項２】
入力された高周波信号に対して所望の受信周波数を通過中心周波数とした周波数選択を行う入力同調手段と；前記入力同調手段の出力信号レベルを可変制御する第１自動利得制御手段と；第１自動利得制御手段の出力信号に対して再度所望の受信周波数を通過中心周波数とした周波数選択を行う出力同調手段と；前記出力同調手段の出力信号を中間周波数信号に変換する周波数変換手段と、前記中間周波数信号の信号レベルを検波して第１自動利得制御手段に対する第１制御信号を生成する検波手段と、第１自動利得制御手段に対する第１制御信号の伝達可否を制御する第１スイッチ手段と、前記中間周波数信号を増幅する第１アンプ手段と、を具備する第１半導体集積回路装置と；第１アンプ手段の出力信号に対して所定の帯域制限を施すフィルタ手段と；前記フィルタ手段の出力信号レベルを可変制御する第２自動利得制御手段と；第２自動利得制御手段の出力信号を増幅する第２アンプ手段と；第２アンプ手段の出力信号に復調処理を施して所望の受信信号を取得するとともにその受信状態を検出して第１、第２自動利得制御手段に対する第２制御信号を生成する復調手段を具備する第２半導体集積回路装置と；第１自動利得制御手段に対する第２制御信号の伝達可否を制御する第２スイッチ手段と、を有して成り、第１、第２スイッチ手段のオン／オフ状態を相補的に制御することで、第１自動利得制御手段では、第１、第２制御信号のいずれか一方に基づいて前記高周波信号の信号レベルを調整し、第２自動利得制御手段では、第２制御信号のみに基づいて前記中間周波数信号の信号レベルを調整することを特徴とする放送受信装置。
【請求項３】
第１半導体集積回路装置は、少なくとも一つの出力端子と、第２半導体集積回路装置からの指示に応じて第１スイッチ手段のオン／オフ状態や前記出力端子のポート状態を制御する制御手段と、を具備しており、第２スイッチ手段のオン／オフ状態は、前記出力端子のポート状態に応じて制御されることを特徴とする請求項２に記載の放送受信装置。
【請求項４】
第２半導体集積回路装置は、第２スイッチ手段を内包することを特徴とする請求項２に記載の放送受信装置。
【請求項５】
入力された高周波信号の信号レベルを可変制御する第１自動利得制御手段と、信号レベル調整後の高周波信号を中間周波数信号に変換する周波数変換手段と、前記中間周波数信号に対して所定の帯域制限を施すフィルタ手段と、前記フィルタ手段の出力信号レベルを検波して第１自動利得制御手段に対する第１制御信号を生成する検波手段と、帯域制限後の中間周波数信号の信号レベルを可変制御する第２自動利得制御手段と、信号レベル調整後の中間周波数信号に復調処理を施して所望の受信信号を取得するとともにその受信状態を検出して第１、第２自動利得制御手段に対する第２制御信号を生成する復調手段と、第１、第２制御信号のいずれか一方を選択して第１自動利得制御手段に送出するスイッチ手段と、を有して成り、前記スイッチ手段を制御することで、第１自動利得制御手段では、第１、第２制御信号のいずれか一方に基づいて前記高周波信号の信号レベルを調整し、第２自動利得制御手段では、第２制御信号のみに基づいて前記中間周波数信号の信号レベルを調整することを特徴とする放送受信装置。
【請求項６】
入力された高周波信号に対して所望の受信周波数を通過中心周波数とした周波数選択を行う入力同調手段と；前記入力同調手段の出力信号レベルを可変制御する第１自動利得制御手段と；第１自動利得制御手段の出力信号に対して再度所望の受信周波数を通過中心周波数とした周波数選択を行う出力同調手段と；前記出力同調手段の出力信号を中間周波数信号に変換する周波数変換手段と、前記中間周波数信号を増幅する第１アンプ手段と、を具備する第１半導体集積回路装置と；第１アンプ手段の出力信号に対して所定の帯域制限を施すフィルタ手段と；前記フィルタ手段の出力信号レベルを検波して第１自動利得制御手段に対する第１制御信号を生成する検波手段と；第１自動利得制御手段に対する第１制御信号の伝達可否を制御する第１スイッチ手段と；前記フィルタ手段の出力信号レベルを可変制御する第２自動利得制御手段と；第２自動利得制御手段の出力信号を増幅する第２アンプ手段と；第２アンプ手段の出力信号に復調処理を施して所望の受信信号を取得するとともにその受信状態を検出して第１、第２自動利得制御手段に対する第２制御信号を生成する復調手段と、第１自動利得制御手段に対する第２制御信号の伝達可否を制御する第２スイッチ手段と、を具備する第２半導体集積回路装置と；を有して成り、第１、第２スイッチ手段のオン／オフ状態を相補的に制御することで、第１自動利得制御手段では、第１、第２制御信号のいずれか一方に基づいて前記高周波信号の信号レベルを調整し、第２自動利得制御手段では、第２制御信号のみに基づいて前記中間周波数信号の信号レベルを調整することを特徴とする放送受信装置。
【請求項７】
第１半導体集積回路装置は、少なくとも一つの出力端子と、第２半導体集積回路装置からの指示に応じて前記出力端子のポート状態を制御する制御手段と、を具備しており、第１スイッチ手段のオン／オフ状態は、前記出力端子のポート状態に応じて制御されることを特徴とする請求項６に記載の放送受信装置。
【発明の詳細な説明】
【技術分野】
【０００１】
本発明は、放送受信装置に関するものであり、特に、地上波デジタル放送を受信する地上波デジタルチューナに関するものである。
【背景技術】
【０００２】
地上波デジタル放送の送信出力は、既存に放送されている地上波アナログ放送の受信に障害が生じないように、地上波アナログ放送に対して低く抑えられている（現状、日本では標準で３０［ｄＢ］）。すなわち、地上波デジタル放送は、地上波アナログ放送に対して、ＲＦにてＤ／Ｕ［Desired/Undesired］：−３０［ｄＢ］以上のレベル差を発生することになる。一方、地上波デジタルチューナに対する妨害信号レベルが強電界レベル（例えば、−２０［ｄＢｍ］以上）になると、クロスモジュレーション歪みが問題となって受信精度に劣化が発生する。そのため、地上波デジタルチューナには、高い隣接チャンネル妨害除去性能（例えば、Ｄ／Ｕ：−４０［ｄＢ］前後）やスプリアス妨害除去性能（例えば、Ｄ／Ｕ：−５５［ｄＢ］前後）が要求されている。
【０００３】
図６は地上波デジタルチューナの第１の従来例を示すブロック図である。本図に示した地上波デジタルチューナＸにおいて、検波部Ｘ４ｅで周波数変換器Ｘ４の出力信号レベルが所定レベル以上であると判定された場合は、検波部Ｘ４ｅの検波結果に基づいて、ＲＦＡＧＣ回路Ｘ２で出力レベル調整が行われる。一方、周波数変換器Ｘ４の出力信号レベルが所定レベル以下であると判定された場合には、ＯＦＤＭ復調器Ｘ８でのレベルが一定となるように、ＩＦＡＧＣ回路Ｘ６で出力レベル調整が行われる。
【０００４】
図７は地上波デジタルチューナの第２の従来例を示すブロック図である。本図に示す地上波デジタルチューナＸ’は、第１の従来例と異なり、ＳＡＷフィルタ回路Ｘ５の出力信号レベルが所定レベル以下となるようにＲＦＡＧＣ回路Ｘ２の出力信号レベルを制御する検波回路Ｘ９を有して成る。検波回路Ｘ９でＳＡＷフィルタ回路Ｘ５の出力信号レベルが所定レベル以上であると判定された場合は、検波回路Ｘ９の検波結果に基づいて、ＲＦＡＧＣ回路Ｘ２で出力レベル調整が行われる。一方、ＳＡＷフィルタ回路Ｘ５の出力信号レベルが所定レベル以下であると判定された場合には、ＯＦＤＭ復調器Ｘ８でのレベルが一定となるように、ＩＦＡＧＣ回路Ｘ６で出力レベル調整が行われる。
【０００５】
図８は地上波デジタルチューナの第３の従来例を示すブロック図である。本図に示す地上波デジタルチューナＸ”は、第１、第２の従来例と異なり、ＯＦＤＭ復調器Ｘ８”での受信状態のみに基づいて、ＯＦＤＭ復調器Ｘ８”でのレベルが一定となるように、ＲＦＡＧＣ回路Ｘ２とＩＦＡＧＣ回路Ｘ６の出力レベル調整をそれぞれ行う構成とされている。なお、ＯＦＤＭ復調器Ｘ８”は、Ｃ／Ｎ［Carrier/Noise］やＢＥＲ［Bit Error Rate］などが改善される方向にＲＦＡＧＣ回路Ｘ２とＩＦＡＧＣ回路Ｘ６の制御比率を順次変更していく機能（以下、ＡＧＣ自動制御機能と呼ぶ）を備えている。
【特許文献１】特開２００２−４４１６９号公報
【発明の開示】
【発明が解決しようとする課題】
【０００６】
確かに、上記構成から成る地上波デジタルチューナであれば、妨害信号の入力レベルが大きくなるにつれてＲＦＡＧＣ回路Ｘ２の出力信号レベルを下げることで、ＲＦＡＧＣ回路Ｘ２や周波数変換器Ｘ４でのクロスモジュレーション歪みを抑制し、受信精度の劣化を回避することが可能である。
【０００７】
しかしながら、上記構成から成る地上波デジタルチューナでは、ＲＦＡＧＣ回路Ｘ２の出力信号レベルを下げ過ぎると、ＲＦＡＧＣ回路Ｘ２でのＣ／ＮがＯＦＤＭ復調器Ｘ８、Ｘ８”で除去できるレベル以下にまで低下して、受信精度の劣化が発生するという課題があった。なお、ＲＦＡＧＣ回路Ｘ２後のクロスモジュレーション歪みによる受信精度の劣化と、Ｃ／Ｎ低下による受信精度の劣化は、互いにトレードオフの関係にあるため、両者の妥協点を見い出すことはできても、上記課題を根本的に解決することはできなかった。
【０００８】
前述の各従来例に沿って上記課題を具体的に説明する。図９は入力同調回路Ｘ１の概略フィルタ特性を示す図、図１０は出力同調回路Ｘ３の概略フィルタ特性を示す図、図１１は入力同調回路Ｘ１と出力同調回路Ｘ３以後の通過特性を示す図（図９と図１０との合成図）である。なお、各図の横軸は周波数を示しており、ｆ１は受信周波数、ｆ２はあるスプリアス妨害周波数を各々示している。また、各図の縦軸は信号レベルを示している。
【０００９】
まず、第１の従来例を挙げて上記の課題を説明する。図１１に示すように、検波部Ｘ４ｅに到達する妨害信号（周波数ｆ２）の信号レベルａ４は、入力同調回路Ｘ１と出力同調回路Ｘ３の減衰特性により、受信信号（周波数ｆ１）の信号レベルａ１に対して（ａ１−ａ４）分低下することになる。しかし、該スプリアス妨害周波数ｆ２でＲＦＡＧＣ回路Ｘ２のレベル制御が最適に動作している場合には、スプリアス妨害周波数ｆ２がより受信周波数ｆ１側にシフトすると、フィルタの減衰性能に基づいて検波部Ｘ４ｅに到達する信号レベルはａ４より大きくなり、その分だけＲＦＡＧＣ回路Ｘ２の出力信号レベルを下げる必要が生じる。その結果、Ｃ／Ｎ低下による受信精度の劣化が早く発生することになる。逆に、スプリアス妨害周波数ｆ２が受信周波数ｆ１と逆方向にシフトすると、検波部Ｘ４ｅに到達する信号レベルはａ４より小さくなり、その分だけＲＦＡＧＣ回路Ｘ２の出力信号レベルを上げる必要が生じる。その結果、クロスモジュレーション歪みによる受信精度の劣化が早く発生することになる。また、図９、図１０に示したフィルタ特性は、チューナの調整等によってばらつきが大きくなる。以上より、第１の従来例ではスプリアス妨害周波数ｆ２に依存して検波部Ｘ４ｅに到達するスプリアス妨害信号の信号レベルがばらつくため、スプリアス妨害周波数ｆ２によっては妨害除去性能が最適に動作しないことが課題であった。
【００１０】
次に、第２の従来例を挙げて上記の課題を説明する。第２の従来例は、隣接チャンネル妨害除去性能を高めるべく、ＳＡＷフィルタＸ５の後段に検波回路Ｘ９を配置した構成である。確かに、当該構成から成る地上波デジタルチューナＸ’であれば、検波回路Ｘ９からのフィードバックを掛けることで、受信周波数ｆ１近傍（隣接チャンネル）の妨害信号レベルを効果的に低減し、ＯＦＤＭ復調器Ｘ８における入力ＩＦ信号の検知性能を向上させて、受信動作の安定性を高めることが可能である。しかし、受信周波数ｆ１から比較的離れたスプリアス妨害周波数ｆ２での妨害除去性能に関しては、上記したクロスモジュレーション歪みによる受信精度の劣化が支配的であるため、隣接チャンネル妨害除去性能の向上を目的とする当該構成では、妨害除去性能が最適に動作しないことが課題であった。
【００１１】
次に、第３の従来例を挙げて上記の課題を説明する。第３の従来例では、受信精度の劣化要因としてクロスモジュレーション歪みとＣ／Ｎ低下のいずれが支配的であるかを判断し、ＲＦＡＧＣ回路Ｘ２のレベル減衰量が最適となるようにＲＦＡＧＣ回路Ｘ２とＩＦＡＧＣ回路Ｘ６の制御比率を可変制御するＡＧＣ自動制御機能が具備されている。しかし、このＡＧＣ自動制御機能は、ＯＦＤＭ復調器Ｘ８”でＩＦ信号を検知した場合にのみ有効な機能であるため、ＲＦＡＧＣ回路Ｘ２とＩＦＡＧＣ回路Ｘ６のレベル減衰比率を初期設定値とした状態でＩＦ信号を検知することができなかった場合には、当該ＡＧＣ自動制御機能が正常に働かないという課題があった。また、ＡＧＣ自動制御機能は、ＯＦＤＭ復調器Ｘ８”内部で読み取られるＣ／ＮやＢＥＲと所定の基準値との比較結果に基づいて機能するため、Ｃ／ＮやＢＥＲの変動が小さい場合やエラーフリー状態など、基準値と比較できない場合にも、当該ＡＧＣ自動制御機能が正常に働かないという課題があった。なお、上記の課題については、ＯＦＤＭ復調器Ｘ８”の制御プログラムを書き換えることで、ソフト的に多少の修正を図ることは可能であるが、フローチャートの複雑化に伴ってソフトにかかる負担が大きくなる上、バグ等の問題も考えられるため、容易ではなかった。
【００１２】
本発明は、上記の問題点に鑑み、隣接チャンネル妨害除去性能とスプリアス妨害除去性能の双方を向上することが可能な放送受信装置を提供することを目的とする。
【課題を解決するための手段】
【００１３】
上記目的を達するため、本発明に係る放送受信装置は、入力された高周波信号の信号レベルを可変制御する第１自動利得制御手段と、信号レベル調整後の高周波信号を中間周波数信号に変換する周波数変換手段と、前記中間周波数信号の信号レベルを検波して第１自動利得制御手段に対する第１制御信号を生成する検波手段と、前記中間周波数信号の信号レベルを可変制御する第２自動利得制御手段と、信号レベル調整後の中間周波数信号に復調処理を施して所望の受信信号を取得するとともにその受信状態を検出して第１、第２自動利得制御手段に対する第２制御信号を生成する復調手段と、第１、第２制御信号のいずれか一方を選択して第１自動利得制御手段に送出するスイッチ手段を有して成り、前記スイッチ手段を制御することで、第１自動利得制御手段では、第１、第２制御信号のいずれか一方に基づいて前記高周波信号の信号レベルを調整し、第２自動利得制御手段では、第２制御信号のみに基づいて前記中間周波数信号の信号レベルを調整する構成としている。
【００１４】
より具体的には、本発明に係る放送受信装置は、入力された高周波信号に対して所望の受信周波数を通過中心周波数とした周波数選択を行う入力同調手段と；前記入力同調手段の出力信号レベルを可変制御する第１自動利得制御手段と；第１自動利得制御手段の出力信号に対して再度所望の受信周波数を通過中心周波数とした周波数選択を行う出力同調手段と；前記出力同調手段の出力信号を中間周波数信号に変換する周波数変換手段と、前記中間周波数信号の信号レベルを検波して第１自動利得制御手段に対する第１制御信号を生成する検波手段と、第１自動利得制御手段に対する第１制御信号の伝達可否を制御する第１スイッチ手段と、前記中間周波数信号を増幅する第１アンプ手段と、を具備する第１半導体集積回路装置と；第１アンプ手段の出力信号に対して所定の帯域制限を施すフィルタ手段と；前記フィルタ手段の出力信号レベルを可変制御する第２自動利得制御手段と；第２自動利得制御手段の出力信号を増幅する第２アンプ手段と；第２アンプ手段の出力信号に復調処理を施して所望の受信信号を取得するとともにその受信状態を検出して第１、第２自動利得制御手段に対する第２制御信号を生成する復調手段を具備する第２半導体集積回路装置と；第１自動利得制御手段に対する第２制御信号の伝達可否を制御する第２スイッチ手段と、を有して成り、第１、第２スイッチ手段のオン／オフ状態を相補的に制御することで、第１自動利得制御手段では、第１、第２制御信号のいずれか一方に基づいて前記高周波信号の信号レベルを調整し、第２自動利得制御手段では、第２制御信号のみに基づいて前記中間周波数信号の信号レベルを調整する構成とすればよい。
【００１５】
このような構成とすることにより、第１自動利得制御手段を第２制御信号で制御した場合には、受信チャンネル毎に異なる妨害周波数に対して最適な妨害除去性能を得ることが可能となり、第１制御信号で制御した場合には、復調手段における中間周波数信号の検知性能を高めて安定した受信動作を見込めるようになる。従って、受信信号の周波数や妨害信号の周波数に応じて、第１自動利得制御手段の制御主体を適宜切り換えることで、隣接チャンネル妨害除去性能とスプリアス妨害除去性能の双方を向上することが可能となる。また、本構成であれば復調手段の制御ソフトも単純で済むため、その設計も容易となる。
【００１６】
なお、上記構成から成る放送受信装置において、第１半導体集積回路装置は、少なくとも一つの出力端子と、第２半導体集積回路装置からの指示に応じて第１スイッチ手段のオン／オフ状態や前記出力端子のポート状態を制御する制御手段と、を具備しており、第２スイッチ手段のオン／オフ状態は、前記出力端子のポート状態に応じて制御される構成にするとよい。このような構成とすることにより、復調手段から直接第２スイッチ手段のオン／オフ制御を行うことができない場合でも、第１半導体集積回路装置に対する既存の制御信号を流用することで、第１自動利得制御手段の出力信号レベルを第１、第２制御信号のいずれに基づいて制御するかを切り換えることが可能となる。
【００１７】
また、上記構成から成る放送受信装置において、第２半導体集積回路装置は、第２スイッチ手段を内包する構成としてもよい。このような構成とすることにより、第２スイッチ手段を別途設けることなく、第１自動利得制御手段の出力信号レベルを第１、第２制御信号のいずれに基づいて制御するかを切り換えることが可能となる。
【００１８】
また、本発明に係る放送受信装置は、入力された高周波信号の信号レベルを可変制御する第１自動利得制御手段と、信号レベル調整後の高周波信号を中間周波数信号に変換する周波数変換手段と、前記中間周波数信号に対して所定の帯域制限を施すフィルタ手段と、前記フィルタ手段の出力信号レベルを検波して第１自動利得制御手段に対する第１制御信号を生成する検波手段と、帯域制限後の中間周波数信号の信号レベルを可変制御する第２自動利得制御手段と、信号レベル調整後の中間周波数信号に復調処理を施して所望の受信信号を取得するとともにその受信状態を検出して第１、第２自動利得制御手段に対する第２制御信号を生成する復調手段と、第１、第２制御信号のいずれか一方を選択して第１自動利得制御手段に送出するスイッチ手段と、を有して成り、前記スイッチ手段を制御することで、第１自動利得制御手段では、第１、第２制御信号のいずれか一方に基づいて前記高周波信号の信号レベルを調整し、第２自動利得制御手段では、第２制御信号のみに基づいて前記中間周波数信号の信号レベルを調整する構成としてもよい。
【００１９】
より具体的には、本発明に係る放送受信装置は、入力された高周波信号に対して所望の受信周波数を通過中心周波数とした周波数選択を行う入力同調手段と；前記入力同調手段の出力信号レベルを可変制御する第１自動利得制御手段と；第１自動利得制御手段の出力信号に対して再度所望の受信周波数を通過中心周波数とした周波数選択を行う出力同調手段と；前記出力同調手段の出力信号を中間周波数信号に変換する周波数変換手段と、前記中間周波数信号を増幅する第１アンプ手段と、を具備する第１半導体集積回路装置と；第１アンプ手段の出力信号に対して所定の帯域制限を施すフィルタ手段と；前記フィルタ手段の出力信号レベルを検波して第１自動利得制御手段に対する第１制御信号を生成する検波手段と；第１自動利得制御手段に対する第１制御信号の伝達可否を制御する第１スイッチ手段と；前記フィルタ手段の出力信号レベルを可変制御する第２自動利得制御手段と；第２自動利得制御手段の出力信号を増幅する第２アンプ手段と；第２アンプ手段の出力信号に復調処理を施して所望の受信信号を取得するとともにその受信状態を検出して第１、第２自動利得制御手段に対する第２制御信号を生成する復調手段と、第１自動利得制御手段に対する第２制御信号の伝達可否を制御する第２スイッチ手段と、を具備する第２半導体集積回路装置と；を有して成り、第１、第２スイッチ手段のオン／オフ状態を相補的に制御することで、第１自動利得制御手段では、第１、第２制御信号のいずれか一方に基づいて前記高周波信号の信号レベルを調整し、第２自動利得制御手段では、第２制御信号のみに基づいて前記中間周波数信号の信号レベルを調整する構成にするとよい。
【００２０】
このように、フィルタ手段の後段に検波手段を配置し、検波手段からのフィードバックを掛ける構成とすることにより、受信周波数近傍（隣接チャンネル）の妨害信号レベルを効果的に低減し、復調手段における中間周波数信号の検知性能を向上させて、受信動作の安定性を高めることが可能となる。
【００２１】
なお、上記構成から成る放送受信装置において、第１半導体集積回路装置は、少なくとも一つの出力端子と、第２半導体集積回路装置からの指示に応じて前記出力端子のポート状態を制御する制御手段と、を具備しており、第１スイッチ手段のオン／オフ状態は、前記出力端子のポート状態に応じて制御される構成にするとよい。このような構成とすることにより、復調手段から直接第１スイッチ手段のオン／オフ制御を行うことができない場合でも、第１半導体集積回路装置に対する既存の制御信号を流用することで、第１自動利得制御手段の出力信号レベルを第１、第２制御信号のいずれに基づいて制御するかを切り換えることが可能となる。
【発明の効果】
【００２２】
上記したように、本発明に係る放送受信装置であれば、隣接チャンネル妨害除去性能とスプリアス妨害除去性能の双方を向上することが可能となる。
【発明を実施するための最良の形態】
【００２３】
以下では、地上波デジタル放送を受信する地上波デジタルチューナに本発明を適用した場合を例に挙げて説明を行う。
【００２４】
まず、本発明の第１実施形態について、図１を参照しながら詳細な説明を行う。図１は本発明に係る地上波デジタルチューナの第１実施形態を示すブロック図である。本図に示す地上波デジタルチューナＡ−１は、アンテナ（不図示）から入力されるＵＨＦ［Ultra High Frequency］信号４７０〜７７０［ＭＨｚ］などの高周波信号（以下、ＲＦ［Radio Frequency］信号と呼ぶ）に対して所望の受信周波数を通過中心周波数とした周波数選択を行う入力同調回路Ａ１（単同調フィルタ）と、入力同調回路Ａ１の出力信号レベルを可変制御するＲＦ自動利得制御回路Ａ２（以下、ＲＦＡＧＣ［Automatic Gain Control］回路Ａ２と呼ぶ）と、ＲＦＡＧＣ回路Ａ２の出力信号に対して再度所望の受信周波数を通過中心周波数とした周波数選択を行う出力同調回路Ａ３（複同調フィルタ）と、出力同調回路Ａ３の出力信号を中間周波数信号（例えば日本では５７［ＭＨｚ］であり、以下、ＩＦ［Intermediate Frequency］信号と呼ぶ）に変換する周波数変換器Ａ４と、周波数変換器Ａ４の出力信号に対して所定の帯域制限を施す弾性表面波フィルタ回路Ａ５（以下、ＳＡＷ［Surface Acoustic Wave］フィルタ回路Ａ５と呼ぶ）と、ＳＡＷフィルタ回路Ａ５の出力信号レベルを可変制御するＩＦ自動利得制御回路Ａ６（以下、ＩＦＡＧＣ回路Ａ６と呼ぶ）と、ＩＦＡＧＣ回路Ａ６の出力信号を増幅するＩＦアンプ回路Ａ７と、ＩＦアンプ回路Ａ７の出力信号をＯＦＤＭ［Orthogonal Frequency Division Multiplexing］復調することでトランスポートストリーム信号（以下、ＴＳ［Transport Stream］信号と呼ぶ）として出力するＯＦＤＭ復調器Ａ８と、を有して成る。
【００２５】
上記の周波数変換器Ａ４は、出力同調回路Ｘ３の出力信号とローカル信号を混合するミキサ部Ｘ４ａと、制御電圧に応じたローカル信号を生成する局部発振部Ａ４ｂと、ＯＦＤＭ復調器Ａ８からの指示に基づいて局部発振部Ａ４ｂの発振周波数制御や後述する検波部Ａ４ｅの出力可否制御を行うＰＬＬ［Phase Locked Loop］コントローラ部Ａ４ｃと、ミキサ部Ａ４ａで得られるＩＦ信号を増幅するＩＦアンプ部Ａ４ｄと、ＩＦアンプ部Ａ４ｄの出力信号レベルが所定レベル以下となるようにＲＦＡＧＣ回路Ａ２の出力信号レベルを制御する検波部Ａ４ｅと、検波部Ａ４ｅの出力可否を制御するスイッチ部Ａ４ｆと、を集積化して成る１チップＩＣである。
【００２６】
また、ＯＦＤＭ復調器Ａ８は、バスＢを介してマイコンＣとの間で信号の授受を行い、上記のＯＦＤＭ復調機能や周波数変換器Ａ４に対する各種制御機能のほか、ＯＦＤＭ復調器Ａ８での受信状態が一定となるように、例えば入力信号レベルのｐｐ[Peak to Peak］値が常に０．５［Ｖ］となるように、ＲＦＡＧＣ回路Ａ２とＩＦＡＧＣ回路Ａ６の出力レベルを各々調整する機能を備えた１チップＩＣである。なお、ＯＦＤＭ復調器Ａ８からＲＦＡＧＣ回路Ａ２への制御ライン上には、ＯＦＤＭ復調器Ａ８からの指示に応じてオン／オフ制御されるスイッチ回路Ａ９が設けられている。
【００２７】
上記構成から成る地上波デジタルチューナＡ−１において、スイッチ回路Ａ９がオン状態とされている場合、周波数変換器Ａ４のＰＬＬコントローラ部Ａ４ｃは、ＯＦＤＭ復調器Ａ８から入力される制御信号に基づいてスイッチ部Ａ４ｆをオフ状態とする。従って、検波部Ａ４ｅからＲＦＡＧＣ回路Ａ２への制御ラインは、周波数変換器Ａ４の内部でハイインピーダンス状態に切り換えられ、ＲＦＡＧＣ回路Ａ２での出力レベル調整とＩＦＡＧＣ回路Ａ６での出力レベル調整は、いずれもＯＦＤＭ復調器Ａ８での受信状態に基づいて行われることになる。なお、その際、ＯＦＤＭ復調器Ａ８は、ＡＧＣ自動制御機能によって、Ｃ／ＮやＢＥＲなどが改善される方向にＲＦＡＧＣ回路Ａ２とＩＦＡＧＣ回路Ａ６の制御比率を順次変更していく。
【００２８】
一方、スイッチ回路Ａ９がオフ状態とされている場合には、ＰＬＬコントローラ部Ａ４ｃによって、スイッチ部Ａ４ｆがオン状態とされる。従って、検波部Ａ４ｅで周波数変換器Ａ４の出力信号レベルが所定レベル以上（例えば−５［ｄＢｍ］以上）であると判定された場合は、検波部Ａ４ｅの検波結果に基づいて、ＲＦＡＧＣ回路Ａ２で出力レベル調整が行われ、周波数変換器Ａ４の出力信号レベルが所定レベル以下であると判定された場合には、ＯＦＤＭ復調器Ａ８での受信状態に基づいて、ＩＦＡＧＣ回路Ａ６で出力レベル調整が行われることになる。
【００２９】
上記したように、本実施形態の地上波デジタルチューナＡ−１は、検波部Ａ４ｅとＯＦＤＭ復調器Ａ８のいずれか一方によって、ＲＦＡＧＣ回路Ａ２での信号レベル調整を行う構成としている。このような構成とすることにより、ＲＦＡＧＣ回路Ａ２をＯＦＤＭ復調器Ａ８で制御した場合には、受信チャンネル毎に異なる妨害周波数に対して最適な妨害除去性能を得ることが可能となり、検波部Ａ４ｅで制御した場合には、ＯＦＤＭ復調器Ａ８におけるＩＦ信号の検知性能を高めて安定した受信動作を見込めるようになる。従って、受信信号の周波数や妨害信号の周波数に応じて、ＲＦＡＧＣ回路Ａ２の制御主体を適宜切り換えることで、隣接チャンネル妨害除去性能とスプリアス妨害除去性能の双方を向上することが可能となる。また、本構成であればＯＦＤＭ復調器Ａ８を制御するソフトも単純で済むため、その設計も容易となる。
【００３０】
次に、本発明の第２実施形態について、図２を参照しながら詳細な説明を行う。図２は本発明に係る地上波デジタルチューナの第２実施形態を示すブロック図である。本図に示すように、本実施形態の地上波デジタルチューナＡ−２は、前出の第１実施形態とほぼ同様の構成から成る。そこで、第１実施形態と同様の構成部分については、図１と同一の符号を付すことで説明を省略し、以下では、第２実施形態の特徴部分について重点を置いた説明を行うことにする。
【００３１】
本実施形態の地上波デジタルチューナＡ−２は、ＯＦＤＭ復調器Ａ８からＲＦＡＧＣ回路Ａ２への制御ライン上に設けられたスイッチ回路Ａ９として、トライステートなどのスイッチングＩＣを用い、周波数変換器Ａ４に具備された出力端子Ａ４ｇのポート開閉状態（ポート電位のハイ／ロー）に応じて、スイッチ回路Ａ９のオン／オフ制御を行う構成とされている。このような構成とすることにより、ＯＦＤＭ復調器Ａ８の出力端子数に余裕がなく、ＯＦＤＭ復調器Ａ８から直接スイッチ回路Ａ９のオン／オフ制御を行うことができない場合でも、周波数変換器Ａ４に対する既存の制御信号を流用することで、ＲＦＡＧＣ回路Ａ２の出力信号レベルをＯＦＤＭ復調器Ａ８のＡＧＣ自動制御機能で制御するか、検波部Ａ４ｅの出力に応じてフィードバック制御するかを切り換えることが可能となる。
【００３２】
次に、本発明の第３実施形態について、図３を参照しながら詳細な説明を行う。図３は本発明に係る地上波デジタルチューナの第３実施形態を示すブロック図である。本図に示すように、本実施形態の地上波デジタルチューナＡ−３は、前出の第１実施形態とほぼ同様の構成から成る。そこで、第１実施形態と同様の構成部分については、図１と同一の符号を付すことで説明を省略し、以下では、第３実施形態の特徴部分について重点を置いた説明を行うことにする。
【００３３】
本実施形態の地上波デジタルチューナＡ−３は、ＯＦＤＭ復調器Ａ８からＲＦＡＧＣ回路Ａ２への制御ライン上に設けられたスイッチ回路Ａ９に代えて、ＲＦＡＧＣ回路Ａ２への制御信号の出力可否を制御するスイッチ部Ａ８ａをＯＦＤＭ復調器Ａ８に内蔵して成る構成とされている。このような構成とすることにより、スイッチ回路Ａ９を別途設けることなく、ＯＦＤＭ復調器Ａ８に対するバス信号に基づいて、ＲＦＡＧＣ回路Ａ２の出力信号レベルをＯＦＤＭ復調器Ａ８のＡＧＣ自動制御機能で制御するか、検波部Ａ４ｅの出力に応じてフィードバック制御するか、を切り換えることが可能となる。
【００３４】
次に、本発明の第４実施形態について、図４を参照しながら詳細な説明を行う。図４は本発明に係る地上波デジタルチューナの第４実施形態を示すブロック図である。本図に示すように、本実施形態の地上波デジタルチューナＡ−４は、前出の第３実施形態とほぼ同様の構成から成る。そこで、第３実施形態と同様の構成部分については、図３と同一の符号を付すことで説明を省略し、以下では、第４実施形態の特徴部分について重点を置いた説明を行うことにする。
【００３５】
本実施形態の地上波デジタルチューナＡ−４は、前出の第１〜第３実施形態と異なり、ＳＡＷフィルタ回路Ａ５の出力信号レベルが所定レベル以下となるようにＲＦＡＧＣ回路Ａ２の出力信号レベルを制御する検波回路Ａ１０と、該検波回路Ａ１０からＲＦＡＧＣ回路Ａ２への制御ライン上に設けられたスイッチ回路Ａ１１と、を有して成り、ＯＦＤＭ復調器Ａ８は、スイッチ部Ａ８ａとスイッチ回路Ａ１１とを相補的にオン／オフ制御する構成とされている。このように、ＳＡＷフィルタＡ５の後段に検波回路Ａ１０を配置し、検波回路Ａ１０からのフィードバックを掛ける構成とすることにより、受信周波数近傍（隣接チャンネル）の妨害信号レベルを効果的に低減し、ＯＦＤＭ復調器Ａ８における入力ＩＦ信号の検知性能を向上させて、受信動作の安定性を高めることが可能となる。
【００３６】
次に、本発明の第５実施形態について、図５を参照しながら詳細な説明を行う。図５は本発明に係る地上波デジタルチューナの第５実施形態を示すブロック図である。本図に示すように、本実施形態の地上波デジタルチューナＡ−５は、前出の第４実施形態とほぼ同様の構成から成る。そこで、第４実施形態と同様の構成部分については、図４と同一の符号を付すことで説明を省略し、以下では、第４実施形態の特徴部分について重点を置いた説明を行うことにする。
【００３７】
本実施形態の地上波デジタルチューナＡ−５は、検波回路Ａ１０からＲＦＡＧＣ回路Ａ２への制御ライン上に設けたスイッチ回路Ａ１１として、トライステートなどのスイッチングＩＣを用い、周波数変換器Ａ４に具備された出力端子Ａ４ｇのポート開閉状態（ポート電位のハイ／ロー）に応じて、スイッチ回路Ａ１１のオン／オフ制御を行う構成とされている。このような構成とすることにより、ＯＦＤＭ復調器Ａ８の出力端子数に余裕がなく、ＯＦＤＭ復調器Ａ８から直接スイッチ回路Ａ１１のオン／オフ制御を行うことができない場合でも、周波数変換器Ａ４に対する既存の制御信号を流用することで、ＲＦＡＧＣ回路Ａ２の出力信号レベルをＯＦＤＭ復調器Ａ８のＡＧＣ自動制御機能で制御するか、検波部Ａ４ｅの出力に応じてフィードバック制御するか、を切り換えることが可能となる。
【００３８】
なお、上記の実施形態では、本発明を地上波デジタルチューナＸに適用した場合を例に挙げて説明を行ったが、本発明の適用対象はこれに限定されるものではなく、その他の放送受信装置全般に広く適用することが可能である。
【００３９】
また、上記の実施形態では、アンテナから入力されるＲＦ信号の周波数帯域をＵＨＦ帯とした例を挙げて説明を行ったが、本発明の適用対象はこれに限定されるものではなく、ＶＨＦ［Very High Frequency］帯やＣＡＴＶ［CAble TV/Community Antenna TV］帯であっても構わない。また、上記の実施形態では、アンテナから入力されるＲＦ信号の周波数をＵＨＦ帯のみの１バンド構成とした例を挙げて説明を行ったが、本発明の適用対象はこれに限定されるものではなく、２バンド構成や３バンド構成としても構わない。
【００４０】
また、上記の実施形態では、ＲＦＡＧＣ回路Ａ２の制御主体を切り換える手段として、検波部Ａ４ｅ（或いは検波回路Ａ１０）からＲＦＡＧＣ回路Ａ２への制御ライン上と、ＯＦＤＭ復調器Ａ８からＲＦＡＧＣ回路Ａ２への制御ライン上に、各々別個のスイッチ手段（スイッチ部Ａ４ｆ、Ａ８ａやスイッチ回路Ａ９、Ａ１１）を設けた構成を例に挙げて説明を行ったが、本発明の構成はこれに限定されるものではなく、検波部Ａ４ｅ（或いは検波回路Ａ１０）とＯＦＤＭ復調器Ａ８のいずれか一方のみをＲＦＡＧＣ回路Ａ２に接続する切換手段を設けた構成としても構わない。
【産業上の利用可能性】
【００４１】
本発明は、放送受信装置（特に、地上波デジタルチューナ）の受信精度向上に有用な技術である。
【図面の簡単な説明】
【００４２】
【図１】は、本発明の第１実施形態を示すブロック図である。
【図２】は、本発明の第２実施形態を示すブロック図である。
【図３】は、本発明の第３実施形態を示すブロック図である。
【図４】は、本発明の第４実施形態を示すブロック図である。
【図５】は、本発明の第５実施形態を示すブロック図である。
【図６】は、地上波デジタルチューナの第１の従来例を示すブロック図である。
【図７】は、地上波デジタルチューナの第２の従来例を示すブロック図である。
【図８】は、地上波デジタルチューナの第３の従来例を示すブロック図である。
【図９】は、入力同調回路Ｘ１の概略フィルタ特性を示す図である。
【図１０】は、出力同調回路Ｘ３の概略フィルタ特性を示す図である。
【図１１】は、入力同調回路Ｘ１と出力同調回路Ｘ３以後の通過特性を示す図である。
【符号の説明】
【００４３】
Ａ−１、Ａ−２、Ａ−３、Ａ−４、Ａ−５    地上波デジタルチューナ
Ａ１    入力同調回路（単同調フィルタ）
Ａ２    ＲＦ自動利得制御回路（ＲＦＡＧＣ回路）
Ａ３    出力同調回路（複同調フィルタ）
Ａ４    周波数変換器
Ａ４ａ    ミキサ部
Ａ４ｂ    局部発振部（ＶＣＯ）
Ａ４ｃ    ＰＬＬコントローラ部
Ａ４ｄ    ＩＦアンプ部
Ａ４ｅ    検波部
Ａ４ｆ    スイッチ部
Ａ４ｇ    出力端子
Ａ５    表面弾性波フィルタ回路（ＳＡＷフィルタ）
Ａ６    ＩＦ自動利得制御回路（ＩＦＡＧＣ回路）
Ａ７    ＩＦアンプ回路
Ａ８    ＯＦＤＭ復調器
Ａ８ａ    スイッチ部
Ａ９    スイッチ回路
Ａ１０    検波回路
Ａ１１    スイッチ回路
Ｂ    バス
Ｃ    マイコン
【図１】
2005159591.tif 000003
【図２】
2005159591.tif 000004
【図３】
2005159591.tif 000005
【図４】
2005159591.tif 000006
【図５】
2005159591.tif 000007
【図６】
2005159591.tif 000008
【図７】
2005159591.tif 000009
【図８】
2005159591.tif 000010
【図９】
2005159591.tif 000011
【図１０】
2005159591.tif 000012
【図１１】
2005159591.tif 000013